(57)【要約】  広告供給システム及び手順は、１つ又は２つ以上の広告主ユーザの広告コンテンツと同時に表示される可能性がある広告発信元のウェブコンテンツを自動的に監視する。ウェブにアクセス可能なプラットフォームは、広告主ユーザと相互作用して広告を作成、管理し、コンテンツ監視手段と協働して、広告主ユーザが、広告と同時に表示される可能性があるウェブコンテンツを検査し、特定の広告及び１つ又は２つ以上のウェブコンテンツの項目と対応する広告フィルタデータを特定できる。また、ウェブにアクセス可能なプラットフォームは、１つ又は２つ以上の広告サーバエンジンと、プラットフォームによって生成される情報を記憶する１つ又は２つ以上のデータリポジトリとの間のインタフェースを含む。インタフェースは、広告サーバエンジンによって実行される広告供給処理の一部として、関連性がある情報をリポジトリから取り出す。【選択図】図２
2010525492.tif 000002
【特許請求の範囲】
【請求項１】
ワールドワイドウェブにわたる広告の供給に使用する装置であって、
１つ又は２つ以上の広告主ユーザの広告コンテンツと同時に表示できる広告配信元のウェブコンテンツの項目を自動的に監視するコンテンツ監視手段と、
前記コンテンツ監視手段と協働して、広告と同時に表示できるウェブコンテンツの項目を広告主ユーザが検査し特定の広告と１つ又は２つ以上のウェブコンテンツの項目とに対応する広告フィルタデータを広告主ユーザが特定することを可能にするウェブにアクセス可能なデータ処理ロジックであって、前記広告フィルタデータは、関連する広告供給処理と協働して、前記１つ又は２つ以上の対応するウェブコンテンツの項目に添付することから前記特定の広告を除外するか否かを制御するウェブにアクセス可能なデータ処理ロジックと、
を有することを特徴とする装置。
【請求項２】
前記広告フィルタデータは、特定の広告と、ウェブコンテンツの項目のグループとに対応し、前記関連する広告供給処理と協働して、前記対応するウェブコンテンツの項目のグループに添付することから前記特定の広告を除外するか否かを制御する請求項１に記載の装置。
【請求項３】
前記広告フィルタデータは、特定の広告と、特定のウェブコンテンツの項目とに対応し、前記関連する広告供給処理と協働して、前記対応する特定のウェブコンテンツの項目に添付することから前記特定の広告を除外するか否かを制御する請求項１に記載の装置。
【請求項４】
前記広告フィルタデータは、第１の部分と、第２の部分とを有し、
前記第１の部分は、特定の広告と、ウェブコンテンツの項目のグループとに対応し、前記関連する広告供給処理と協働して、前記対応するウェブコンテンツの項目のグループに添付することから前記特定の広告を除外するか否かを制御し、
前記第２の部分は、特定の広告と、特定のウェブコンテンツの項目とに対応し、前記関連する広告供給処理と協働して、前記対応する特定のウェブコンテンツの項目に添付することから前記特定の広告を除外するか否かを制御し、前記第２の部分は、前記第１の部分の前記制御を無効にする、
請求項１に記載の装置。
【請求項５】
前記広告フィルタデータを記憶するデータ記憶手段をさらに有する請求項１に記載の装置。
【請求項６】
前記データ記憶手段と操作可能なように接続され、前記広告供給処理を実行する広告サーバエンジンにより供給される要求を受信し、前記データ記憶手段にアクセスして前記要求に関連する広告フィルタデータを取り出し、前記広告サーバエンジンにデータを返信するクエリロジックであって、前記返信データは、前記取り出した広告フィルタデータに基づくものであるクエリロジックをさらに有する請求項５に記載の装置。
【請求項７】
前記クエリロジックに供給される前記要求は、ユーザが要求した広告配信元のウェブコンテンツの項目の識別子を含む請求項６に記載の装置。
【請求項８】
前記クエリロジックは、前記データ記憶手段にアクセスして、前記要求の前記識別子に対応する広告フィルタデータを取り出す請求項７に記載の装置。
【請求項９】
前記クエリロジックに供給される前記要求は、前記識別子に識別される前記ユーザが要求した広告配信元のウェブコンテンツの項目に関連する少なくとも１つの主題記述子を含む請求項７に記載の装置。
【請求項１０】
前記クエリロジックは、前記データ記憶手段にアクセスして、前記要求の前記識別子及び前記少なくとも１つの主題記述子に対応する広告フィルタデータを取り出す請求項９に記載の装置。
【請求項１１】
前記ウェブにアクセス可能なデータ処理ロジックは、特定の広告主ユーザが、前記特定の広告主ユーザのキャンペーンのリストを検査して、関係する様々なタスクを実行できるグラフィカル・ユーザ・インタフェースを広告主ユーザに提示するロジックを含む請求項６に記載の装置。
【請求項１２】
前記ウェブにアクセス可能なデータ処理ロジックは、前記特定の広告主ユーザのキャンペーン及びそれぞれの広告をリアルタイム追跡して報告するグラフィカル・ユーザ・インタフェースを提示するロジックを含む請求項１１に記載の装置。
【請求項１３】
前記ウェブにアクセス可能なデータ処理ロジックは、特定の広告主ユーザのキャンペーンを前記特定の広告主ユーザが作成して管理することができるグラフィカル・ユーザ・インタフェースを提示するロジックを含む請求項１１に記載の装置。
【請求項１４】
前記ウェブにアクセス可能なデータ処理ロジックは、前記特定の広告主ユーザの１つ又は２つ以上のキャンペーンに割り当てられる１つ又は２つ以上のアウトレットを前記特定の広告主ユーザが作成して管理することができるグラフィカル・ユーザ・インタフェースを提示するロジックを含み、前記アウトレットは、１つ又は２つ以上の広告配信元ウェブサイト及び１つ又は２つ以上のカテゴリを特定する請求項１３に記載の装置。
【請求項１５】
前記ウェブにアクセス可能なデータ処理ロジックは、前記特定の広告主ユーザの１つ又は２つ以上の広告ローテーションを前記特定の広告主ユーザが作成して管理することができるグラフィカル・ユーザ・インタフェースを提示するロジックを含み、前記広告ローテーションは、前記広告主ユーザの１つ又は２つ以上の広告を１つ又は２つ以上のアウトレットに割り当てる請求項１４に記載の装置。
【請求項１６】
前記クエリロジックは、供給された前記要求にアウトレットが対応する広告ローテーションに割り当てられる１つ又は２つ以上の広告に関連する情報をデータリポジトリから取り出し、前記広告供給処理において使用するために前記広告サーバエンジンに該情報を返信する請求項１５に記載の装置。
【請求項１７】
前記クエリロジックに供給される前記要求は、ユーザが要求した広告配信元のウェブコンテンツの項目に関連する識別子及び少なくとも１つの主題記述子を含み、
前記クエリロジックは、前記要求の前記識別子及び少なくとも１つの主題記述子にアウトレットが対応する広告ローテーションに割り当てられる１つ又は２つ以上の広告に関連する情報を前記データリポジトリから取り出し、前記広告供給処理において使用するために前記広告サーバエンジンに該情報を返信する請求項１６に記載の装置。
【請求項１８】
前記コンテンツ監視手段は、１つ又は２つ以上の広告主ユーザの広告コンテンツと同時に表示できる広告配信元のウェブコンテンツの項目に自動的にアクセスするウェブベースのシンジケーション（syndication）手段を使用する請求項１に記載の装置。
【請求項１９】
前記ウェブベースのシンジケーション手段は、ＲＳＳ(Real  Simple  Syndication)のような標準的なシンジケーション機構を使用する請求項１８に記載の装置。
【請求項２０】
前記広告は、バーナ型広告、ゲートウェイ型広告、すきま型広告、バンパ型広告を含むグループから選択される請求項１に記載の装置。
【請求項２１】
ワールドワイドウェブにわたる広告を供給するシステムであって、
ワールドワイドウェブにわたり広告を供給する広告供給処理を実行する少なくとも１つの広告サーバエンジンと、
広告配信元のウェブコンテンツの項目を記憶する第１のデータ記憶手段と、
前記第１のデータ記憶手段と操作可能なように接続され、１つ又は２つ以上の広告主ユーザの広告コンテンツと同時に表示できる広告配信元のウェブコンテンツの項目を自動的に監視するコンテンツ監視手段と、
前記コンテンツ監視手段と協働して、広告と同時に表示できるウェブコンテンツの項目を広告主ユーザが検査し特定の広告と１つ又は２つ以上のウェブコンテンツの項目とに対応する広告フィルタデータを広告主ユーザが特定することを可能にするウェブにアクセス可能なデータ処理ロジックであって、前記広告フィルタデータは、前記少なくとも１つの広告サーバエンジンによって実行される前記広告供給処理と協働して、前記１つ又は２つ以上の対応するウェブコンテンツの項目に添付することから前記特定の広告を除外するか否かを制御するウェブにアクセス可能なデータ処理ロジックと、
を有することを特徴とするシステム。
【請求項２２】
前記広告フィルタデータは、特定の広告と、ウェブコンテンツの項目のグループとに対応し、前記少なくとも１つの広告サーバエンジンによって実行される前記広告供給処理と協働して、前記対応するウェブコンテンツの項目のグループに添付することから前記特定の広告を除外するか否かを制御する請求項２１に記載のシステム。
【請求項２３】
前記広告フィルタデータは、特定の広告と、特定のウェブコンテンツの項目とに対応し、前記少なくとも１つの広告サーバエンジンによって実行される前記広告供給処理と協働して、前記対応する特定のウェブコンテンツの項目に添付することから前記特定の広告を除外するか否かを制御する請求項２１に記載のシステム。
【請求項２４】
前記広告フィルタデータは、第１の部分と、第２の部分とを有し、
前記第１の部分は、特定の広告と、ウェブコンテンツの項目のグループとに対応し、前記少なくとも１つの広告サーバエンジンによって実行される前記広告供給処理と協働して、前記対応するウェブコンテンツの項目のグループに添付することから前記特定の広告を除外するか否かを制御し、
前記第２の部分は、特定の広告と、特定のウェブコンテンツの項目とに対応し、前記少なくとも１つの広告サーバエンジンによって実行される前記広告供給処理と協働して、前記対応する特定のウェブコンテンツの項目に添付することから前記特定の広告を除外するか否かを制御し、前記第２の部分は、前記第１の部分の前記制御を無効にする、
請求項２１に記載のシステム。
【請求項２５】
前記広告フィルタデータを記憶する第２のデータ記憶手段をさらに有する請求項２１に記載のシステム。
【請求項２６】
前記第２のデータ記憶手段と操作可能なように接続され、前記少なくとも１つの広告サーバエンジンにより供給される要求を受信し、前記第２のデータ記憶手段にアクセスして前記要求に関連する広告フィルタデータを取り出し、前記広告サーバエンジンにデータを返信するクエリロジックであって、前記返信データは、前記取り出した広告フィルタデータに基づくものであるクエリロジックをさらに有する請求項２５に記載のシステム。
【請求項２７】
前記クエリロジックに供給される前記要求は、ユーザが要求した広告配信元のウェブコンテンツの項目の識別子を含む請求項２６に記載のシステム。
【請求項２８】
前記クエリロジックは、前記第２のデータ記憶手段にアクセスして、前記要求の前記識別子に対応する広告フィルタデータを取り出す請求項２７に記載のシステム。
【請求項２９】
前記クエリロジックに供給される前記要求は、前記識別子に識別される前記ユーザが要求した広告配信元のウェブコンテンツの項目に関連する少なくとも１つの主題記述子を含む請求項２７に記載のシステム。
【請求項３０】
前記クエリロジックは、前記第２のデータ記憶手段にアクセスして、前記要求の前記識別子及び前記少なくとも１つの主題記述子に対応する広告フィルタデータを取り出す請求項２９に記載のシステム。
【請求項３１】
前記ウェブにアクセス可能なデータ処理ロジックは、特定の広告主ユーザが、前記特定の広告主ユーザのキャンペーンのリストを検査して、関係する様々なタスクを実行できるグラフィカル・ユーザ・インタフェースを広告主ユーザに提示するロジックを含む請求項２６に記載のシステム。
【請求項３２】
前記ウェブにアクセス可能なデータ処理ロジックは、前記特定の広告主ユーザのキャンペーン及びそれぞれの広告をリアルタイム追跡して報告するグラフィカル・ユーザ・インタフェースを提示するロジックを含む請求項３１に記載のシステム。
【請求項３３】
前記ウェブにアクセス可能なデータ処理ロジックは、特定の広告主ユーザのキャンペーンを前記特定の広告主ユーザが作成して管理することができるグラフィカル・ユーザ・インタフェースを提示するロジックを含む請求項３１に記載のシステム。
【請求項３４】
前記ウェブにアクセス可能なデータ処理ロジックは、前記特定の広告主ユーザの１つ又は２つ以上のキャンペーンに割り当てられる１つ又は２つ以上のアウトレットを前記特定の広告主ユーザが作成して管理することができるグラフィカル・ユーザ・インタフェースを提示するロジックを含み、前記アウトレットは、１つ又は２つ以上の広告配信元ウェブサイト及び１つ又は２つ以上のカテゴリを特定する請求項３３に記載のシステム。
【請求項３５】
前記ウェブにアクセス可能なデータ処理ロジックは、前記特定の広告主ユーザの１つ又は２つ以上の広告ローテーションを前記特定の広告主ユーザが作成して管理することができるグラフィカル・ユーザ・インタフェースを提示するロジックを含み、前記広告ローテーションは、前記広告主ユーザの１つ又は２つ以上の広告を１つ又は２つ以上のアウトレットに割り当てる請求項３４に記載のシステム。
【請求項３６】
前記クエリロジックは、供給された前記要求にアウトレットが対応する広告ローテーションに割り当てられる１つ又は２つ以上の広告に関連する情報をデータリポジトリから取り出し、前記広告供給処理において使用するために前記広告サーバエンジンに該情報を返信する請求項３５に記載のシステム。
【請求項３７】
前記クエリロジックに供給される前記要求は、ユーザが要求した広告配信元のウェブコンテンツの項目に関連する識別子及び少なくとも１つの主題記述子を含み、
前記クエリロジックは、前記要求の前記識別子及び少なくとも１つの主題記述子にアウトレットが対応する広告ローテーションに割り当てられる１つ又は２つ以上の広告に関連する情報を前記データリポジトリから取り出し、前記広告供給処理において使用するために前記広告サーバエンジンに該情報を返信する請求項３６に記載のシステム。
【請求項３８】
前記コンテンツ監視手段は、前記第１の記憶手段と協働して、１つ又は２つ以上の広告主ユーザの広告コンテンツと同時に表示できる広告配信元のウェブコンテンツの項目に自動的にアクセスするウェブベースのシンジケーション手段を使用する請求項２１に記載のシステム。
【請求項３９】
前記ウェブベースのシンジケーション手段は、ＲＳＳ(Real  Simple  Syndication)のような標準的なシンジケーション機構を使用する請求項３８に記載のシステム。
【請求項４０】
前記広告は、バーナ型広告、ゲートウェイ型広告、すきま型広告、バンパ型広告を含むグループから選択される請求項２１に記載のシステム。
【請求項４１】
ワールドワイドウェブにわたる広告を供給する方法であって、
第１のデータ記憶手段に広告配信元のウェブコンテンツの項目を記憶するステップと、
前記第１のデータ記憶手段にアクセスして、１つ又は２つ以上の広告主ユーザの広告コンテンツと同時に表示できる広告配信元のウェブコンテンツの項目を自動的に監視するステップと、
広告主ユーザと相互に作用して、広告と同時に表示できるウェブコンテンツの項目を検査し、特定の広告と１つ又は２つ以上のウェブコンテンツの項目とに対応する広告フィルタデータを特定するステップであって、前記広告フィルタデータは、少なくとも１つの広告サーバエンジンによって実行される広告供給処理と協働して、前記１つ又は２つ以上の対応するウェブコンテンツの項目に添付することから前記特定の広告を除外するか否かを制御するステップと、
を有することを特徴とする方法。
【請求項４２】
前記広告フィルタデータは、特定の広告と、ウェブコンテンツの項目のグループとに対応し、前記少なくとも１つの広告サーバエンジンによって実行される前記広告供給処理と協働して、前記対応するウェブコンテンツの項目のグループに添付することから前記特定の広告を除外するか否かを制御する請求項４１に記載の方法。
【請求項４３】
前記広告フィルタデータは、特定の広告と、特定のウェブコンテンツの項目とに対応し、前記少なくとも１つの広告サーバエンジンによって実行される前記広告供給処理と協働して、前記対応する特定のウェブコンテンツの項目に添付することから前記特定の広告を除外するか否かを制御する請求項４１に記載の方法。
【請求項４４】
前記広告フィルタデータは、第１の部分と、第２の部分とを有し、
前記第１の部分は、特定の広告と、ウェブコンテンツの項目のグループとに対応し、前記少なくとも１つの広告サーバエンジンによって実行される前記広告供給処理と協働して、前記対応するウェブコンテンツの項目のグループに添付することから前記特定の広告を除外するか否かを制御し、
前記第２の部分は、特定の広告と、特定のウェブコンテンツの項目とに対応し、前記少なくとも１つの広告サーバエンジンによって実行される前記広告供給処理と協働して、前記対応する特定のウェブコンテンツの項目に添付することから前記特定の広告を除外するか否かを制御し、前記第２の部分は、前記第１の部分の前記制御を無効にする、
請求項４１に記載の方法。
【請求項４５】
第２のデータ記憶手段に前記広告フィルタデータを記憶するステップをさらに有する請求項４１に記載の方法。
【請求項４６】
前記少なくとも１つの広告サーバエンジンにより供給される要求を受信するステップと、
前記第２のデータ記憶手段にアクセスして、前記要求に関連する広告フィルタデータを取り出すステップと、
前記広告サーバエンジンにデータを返信するステップであって、前記返信データは、前記取り出した広告フィルタデータに基づくステップと、
をさらに有する請求項４５に記載の方法。
【請求項４７】
前記要求は、ユーザが要求した広告配信元のウェブコンテンツの項目の識別子を含む請求項４６に記載の方法。
【請求項４８】
前記取り出した広告フィルタデータは、前記要求の前記識別子に対応する請求項４７に記載の方法。
【請求項４９】
前記要求は、前記識別子に識別される前記ユーザが要求した広告配信元のウェブコンテンツの項目に関連する少なくとも１つの主題記述子を含む請求項４７に記載の方法。
【請求項５０】
前記取り出した広告フィルタデータは、前記要求の前記識別子及び前記少なくとも１つの主題記述子に対応する請求項４９に記載の方法。
【請求項５１】
特定の広告主ユーザが、前記特定の広告主ユーザのキャンペーンのリストを検査して、関係する様々なタスクを実行できるグラフィカル・ユーザ・インタフェースを広告主ユーザに提示するステップをさらに含む請求項４６に記載の方法。
【請求項５２】
前記特定の広告主ユーザのキャンペーン及びそれぞれの広告をリアルタイム追跡して報告するグラフィカル・ユーザ・インタフェースを提示するステップをさらに含む請求項５１に記載の方法。
【請求項５３】
特定の広告主ユーザのキャンペーンを前記特定の広告主ユーザが作成して管理することができるグラフィカル・ユーザ・インタフェースを提示するステップをさらに含む請求項５１に記載の方法。
【請求項５４】
前記特定の広告主ユーザの１つ又は２つ以上のキャンペーンに割り当てられる１つ又は２つ以上のアウトレットを前記特定の広告主ユーザが作成して管理することができるグラフィカル・ユーザ・インタフェースを提示するステップをさらに含み、前記アウトレットは、１つ又は２つ以上の広告配信元ウェブサイト及び１つ又は２つ以上のカテゴリを特定する請求項５３に記載の方法。
【請求項５５】
前記特定の広告主ユーザの１つ又は２つ以上の広告ローテーションを前記特定の広告主ユーザが作成して管理することができるグラフィカル・ユーザ・インタフェースを提示するステップをさらに含み、前記広告ローテーションは、前記広告主ユーザの１つ又は２つ以上の広告を１つ又は２つ以上のアウトレットに割り当てる請求項５４に記載の方法。
【請求項５６】
供給された前記要求にアウトレットが対応する広告ローテーションに割り当てられる１つ又は２つ以上の広告に関連する情報をデータリポジトリから取り出すステップと、
前記広告供給処理において使用するために前記広告サーバエンジンに該情報を返信するステップと、
を有する請求項５５に記載の方法。
【請求項５７】
前記要求は、ユーザが要求した広告配信元のウェブコンテンツの項目に関連する識別子及び少なくとも１つの主題記述子を含み、
前記データリポジトリから取り出される前記情報は、前記要求の前記識別子及び少なくとも１つの主題記述子にアウトレットが対応する広告ローテーションに割り当てられる１つ又は２つ以上の広告に関連する請求項５６に記載の方法。
【請求項５８】
前記第１の記憶手段と協働して、１つ又は２つ以上の広告主ユーザの広告コンテンツと同時に表示できる広告配信元のウェブコンテンツの項目に自動的にアクセスするウェブベースのシンジケーション手段を使用するステップをさらに有する請求項４１に記載の方法。
【請求項５９】
前記ウェブベースのシンジケーション手段は、ＲＳＳ(Real  Simple  Syndication)のような標準的なシンジケーション機構を使用する請求項５８に記載の方法。
【請求項６０】
前記広告は、バーナ型広告、ゲートウェイ型広告、すきま型広告、バンパ型広告を含むグループから選択される請求項４１に記載の方法。
【請求項６１】
ワールドワイドウェブにわたって広告を供給するシステムに使用する装置であって、
広告と関連付けられる位置参照を記憶するデータ記憶手段と、
前記データ記憶手段と操作可能なように接続され、特定の広告の関連付けられる少なくとも１つのスクリーンショットを自動的に捕捉するロジックであって、前記特定の広告の位置参照は、前記特定の広告にアクセスするために前記データ記憶手段から取り出されるロジックと、
を含むことを特徴とする装置。
【請求項６２】
前記データ記憶手段は、前記広告と関連付けられるメトリックを記憶し、
前記ロジックは、所与の広告と関連付けられる少なくとも１つのメトリックを分析して、前記所与の広告の少なくとも１つのスクリーンショットの自動捕捉を開始する、
請求項６１に記載の装置。
【請求項６３】
前記ロジックは、前記所与の広告の少なくとも１つのスクリーンショットの自動捕捉を開始する前に、前記所与の広告に関係付けられる前記少なくとも１つのメトリックが所定のしきい値を超えているか否かをチェックする請求項６２に記載の装置。
【請求項６４】
前記少なくとも１つのメトリックは、前記所与の広告のインプレッション数、前記所与の広告の日の実行回数、前記所与の広告の時間の実行回数の少なくとも１つに基づく請求項６３に記載の装置。
【発明の詳細な説明】
【技術分野】
【０００１】
概略的には、本発明は、ワールドワイドウェブによって広告を展開するシステムに関する。より詳細には、本発明は、ワールドワイドウェブによってバーナ及びビデオ広告を供給するシステムに関する。
【背景技術】
【０００２】
広告サーバは、代理店及び／又は顧客が使用するツールであり、広告取引を容易にし、広告の成果に関する報告を提供する。広告サーバの主な恩恵は、３つある。第１に、代理店／顧客は、広告のコンテンツの複写を広告配信元に配布するのではなく、広告が実施されるスケジュール毎に、作成されたコンテンツを広告サーバから直接呼び出すコードを広告配信元に送信できる。代理店は、作成されたコンテンツを広告サーバに１度ロードし、広告配信元に再度連絡を取ることなく、ローテーションを修正し、又は新たなユニットを早急に追加できる。第２に、広告サーバは、供給されたインプレッション数（impression）、クリックされた広告、クリック率（ＣＴＲ）、及びクリック単価（ＣＰＣ）を含む大量のデータを提供する。一般的には、広告サーバは、売上、案内（lead）、ダウンロード、又は動作に基づくサイトのようなクリック後の活動に対する、広告主が評価を望む可能性がある他の実績を提供する能力を有する。さらにまた、クリックを介してサイトを訪れた人だけでなく、サイトを訪れて広告に目にしたがクリックをしない人もこれらのクリック後の活動と結びつけることができる広告サーバもある。これは、ビュースルー・データ（view  though  data）として周知である。第３に、広告サーバは、全てのメディアスケジュール（media  schedule）にわたって実績の同一条件での比較を代理店が得ることを可能にする、全てのキャンペーンにわたって一貫した集計手順を提供する。
【０００３】
広告配信の対象（publishing  entity）は、ウェブページに埋め込まれたコードである広告タグ（ad  tag）とともに供給される。ウェブページに埋め込まれた広告タグは、「広告呼出（ad  call）」要求を広告サーバに送信する。広告サーバは、「広告呼出」要求を受信して、１つ又は２つ以上の対象とする計画、技術的判断基準、及び／又は場合によっては他の判断基準に基づいて広告のコンテンツを選択して、選択した広告のコンテンツ（又はそれらの参照）をインタネットのユーザに返信する。ここで、選択した広告のコンテンツは、レンダリングされ表示される。「広告呼出」要求に応えて広告のコンテンツを選択して、選択した広告のコンテンツ（又はそれらの参照）を返信する処理は、広告ローテーション（ad  rotation）と呼ばれている。
【０００４】
現在のシステムでは、広告主及び顧客は、特定の広告配信元ウェブサイト（又は所与の広告配信元の特定のチャネル）とともに実行することから除外すべき特定の広告のコンテンツを指定することができる。これは、広告のコンテンツと一緒に見られるウェブコンテンツを広告主及びブランド管理者が管理できるという有利な点を有する。しかしながら、広告のコンテンツと一緒に表示される可能性があるウェブコンテンツを広告主及びブランド管理者が検査することは、ダイナミックなサイト及び／又は広く、多様な広告キャンペーンでは手に負えない仕事であるため、効率が悪く、使用することは難しい。
【発明の概要】
【発明が解決しようとする課題】
【０００５】
したがって、本発明の目的は、広告主及びブランド管理者の広告のコンテンツを管理し、広告のコンテンツと一緒に表示される可能性があるウェブコンテンツを自動的に監視するシステムを提供することである。
【０００６】
本発明の他の目的は、広告コンテンツと一緒に表示される可能性があるウェブコンテンツを広告主及びブランド管理者が検査し、添付される特定の広告配信元のウェブコンテンツから特定の広告のコンテンツを除去すべきことを指示するようなシステムを提供することである。
【０００７】
また、本発明の目的は、ダイナミックなサイト及び／又は広く且つ多様な広告キャンペーンに適当な方法で、広告のコンテンツと同時に見られるウェブコンテンツの制御を広告主及びブランド管理者に提供することである。
【課題を解決するための手段】
【０００８】
これらの目的を踏まえると、以下に詳細に説明されるように、本発明に係る広告供給システムは、１つ又は２つ以上の広告主ユーザの広告のコンテンツと同時に表示される可能性がある広告配信元のウェブコンテンツの項目を自動的に監視する手段を有するウェブにアクセス可能なプラットフォームを有する。
【０００９】
また、ウェブにアクセス可能なプラットフォームは、広告主ユーザのキャンペーンのリストを広告主ユーザが検査して、関連する様々なタスクを実行できる、広告主ユーザとのグラフィカル・ユーザ・インタフェースを提示するロジックを有する。また、グラフィカル・ユーザ・インタフェースは、広告主ユーザのキャンペーン及びそれぞれの広告をリアルタイム追跡して報告する。
【００１０】
また、ウェブにアクセス可能なプラットフォームは、広告主ユーザのキャンペーンを広告主ユーザが作成して管理することができる、広告主ユーザとのグラフィカル・ユーザ・インタフェースを提示するロジックを有する。
【００１１】
また、ウェブにアクセス可能なプラットフォームは、広告主ユーザの１つ又は２つ以上のキャンペーンに割り当てられる１つ又は２つ以上のアウトレットを広告主ユーザが作成して管理することができる、広告主ユーザとのグラフィカル・ユーザ・インタフェースを提示するロジックを有する。アウトレットは、１つ又は２つ以上の広告配信元ウェブサイト、及び１つ又は２つ以上のカテゴリを特定する。
【００１２】
また、ウェブにアクセス可能なプラットフォームは、広告主ユーザの１つ又は２つ以上の広告ローテーションを広告主ユーザが作成して管理することができる、広告主ユーザとのグラフィカル・ユーザ・インタフェースを提示するロジックを有する。広告ローテーションは、広告主ユーザの１つ又は２つ以上の広告を１つ又は２つ以上のアウトレットに割り当てる。
【００１３】
また、ウェブにアクセス可能なプラットフォームは、広告主ユーザの広告と同時に表示される可能性があるウェブコンテンツを検査して、特定の広告と１つ又は２つ以上のウェブコンテンツの項目とに対応する広告フィルタデータを特定する、広告主ユーザとのグラフィカル・ユーザ・インタフェースを提示するロジックを有する。広告フィルタデータは、広告供給処理と協働して、１つ又は２つ以上の対応するウェブコンテンツの項目に添付することから特定の広告を除外するか否かを制御する。好適には、広告フィルタデータは、特定のデジタルコンテンツの項目（digital  content  items）、又はデジタルコンテンツのグループに特定の広告を添付することから、広告主ユーザが包含し、又は除去することを許可される。
【００１４】
また、ウェブにアクセス可能なプラットフォームは、単数又は複数の広告サーバエンジンと、プラットフォームで生成された情報を記憶する１つ又は２つ以上のデータリポジトリ（data  repository）との間のインタフェースを有する。このインタフェースは、広告サーバエンジンが実行する広告供給処理の一部として、関連性がある情報をこれらのリポジトリから取り出す。広告サーバエンジンは、要求されたウェブコンテンツに対応する広告フィルタデータを識別し、この広告フィルタデータを利用して対応する広告フィルタデータによって決定されたように、広告ローテーションから特定の広告を除去する。
【００１５】
本発明に係る広告供給システム及び対応する手順は、広告のコンテンツと同時に表示される可能性があるウェブコンテンツを自動的に監視し、広告を添付する可能性がある１つ又は２つ以上のウェブコンテンツの項目を広告主及びブランド管理者が選択し検査するとともに、必要に応じて、そのウェブコンテンツの項目に対応する広告フィルタデータを作成することができる、ウェブコンテンツの自動監視を提供することは、十分に理解されることになる。広告フィルタデータは、広告配信元の単数又は複数のウェブサイトのデジタルコンテンツの項目に応じた広告供給処理の、好適にはグループベース及び単体ベースでの管理を可能にすることによって、広告主及びブランド管理者にブランドセキュリティ（brand  security）を提供する。
【００１６】
本発明の付加的な目的及び有利な点は、添付した図面と併せて詳細な説明を参照することにより当業者に明確になることになる。
【図面の簡単な説明】
【００１７】
【図１】本発明に係る広告サーバシステムのアーキテクチャの機能ブロックを概略的に示す図である。
【図２】図１の広告サーバシステムと協働して実行される実例となる広告サーバプロセスを概略的に説明する図である。
【図３】典型的な階層のカテゴリの組を概略的に示す図である。
【図４Ａ】ウェブにアクセス可能な図１のプラットフォームによって生成される典型的なグラフィカル・ユーザ・インタフェースであって、キャンペーンのリストと、そのメトリック（metric）及び効果とを広告主ユーザに提示するグラフィカル・ユーザ・インタフェースを示す図である。
【図４Ｂ】ウェブにアクセス可能な図１のプラットフォームによって生成される典型的なグラフィカル・ユーザ・インタフェースであって、キャンペーンを広告主ユーザが作成できるグラフィカル・ユーザ・インタフェースを示す図である。
【図４Ｃ】ウェブにアクセス可能な図１のプラットフォームによって生成される典型的なグラフィカル・ユーザ・インタフェースであって、アウトレットを広告主ユーザが作成して管理することができるグラフィカル・ユーザ・インタフェースを示す図である。
【図４Ｄ】ウェブにアクセス可能な図１のプラットフォームによって生成される典型的なグラフィカル・ユーザ・インタフェースであって、広告ローテーションを広告主ユーザが作成して管理することができ、且つそれぞれの広告に関するメトリック及び効果を広告主ユーザに提示するグラフィカル・ユーザ・インタフェースを示す図である。
【図４Ｅ】ウェブにアクセス可能な図１のプラットフォームによって生成される典型的なグラフィカル・ユーザ・インタフェースであって、広告ローテーションを広告主ユーザが作成して管理することができ、且つそれぞれの広告に関するメトリック及び効果を広告主ユーザに提示するグラフィカル・ユーザ・インタフェースを示す図である。
【図４Ｆ】ウェブにアクセス可能な図１のプラットフォームによって生成される典型的なグラフィカル・ユーザ・インタフェースであって、ウェブコンテンツの単数又は複数の項目を広告主ユーザが選択し検査するとともに、特定の広告と、そのウェブコンテンツの項目の１つ又は２つ以上とに関連する広告フィルタを指定することができるグラフィカル・ユーザ・インタフェースを示す図である。
【図５Ａ】ウェブにアクセス可能な図１のプラットフォームによって生成される広告フィルタデータを記憶する典型的なフォルダ構造を概略的に示す図である。
【図５Ｂ】ウェブアクセス可能な図１のプラットフォームによって生成される広告フィルタデータを記憶する典型的なｘｍｌファイルのスキーマを概略的に示す図である。
【図６】ウェブアクセス可能な図１のプラットフォームによって生成される広告情報を記憶する典型的なｘｍｌファイルのスキーマを概略的に示す図である。
【図７】監査の目的（及び場合によっては他の照合の目的）で、スクリーンショット（screen  shots）を自動的に捕捉するために、ウェブにアクセス可能な図１のプラットフォームによって実行される動作のフローチャートを概略的に示す図である。
【発明を実施するための形態】
【００１８】
本明細書で使用するときには、「広告（Ad、又はAds）」の用語は、広告、宣伝、若しくは民間事業体又は、行政事業体、又は他の事業体の製品、又はサービスについての他の情報を伝達する情報を運ぶデジタルコンテンツをいう。広告は、バーナ型広告、ゲートウェイ型広告、すきま型広告、バンパ型（bumper-type）広告、及び他の適当な形式の情報を含むことができる。バーナ型広告は、ウェブページに広告を埋め込む。広告主のウェブページとリンクすることによって、トラヒックを呼び込むことが意図される。広告は、画像（ＧＩＦ、ＪＰＥＧ、ＰＮＧ）、ジャバ（登録商標）スクリプト・プログラム、または、ジャバ（登録商標）、ショックウェーブ、フラッシュなどの技術を使用したマルチメディア・オブジェクトから構成され、しばしばアニメーション又は音声を使用して存在感を最大化する。画像は、通常、アスペクト比が高い形状（すなわち、幅広且つ短小、又は縦長且つ幅狭）を有するので、バーナと称される。ゲートウェイ型広告は、プログラムのコンテンツより前に再生される。ゲートウェイ型広告は、ニュースウェブサイトでよく見られる。ここでは、ショートクリップ、又は短い広告用ビデオをビデオプログラムのコンテンツより前に再生できる。すきま型広告は、再生リストにあるプログラム登録の間に再生される。例えばニュースウェブサイトでは、すきま型広告は、トップニュースの間に挿入できる。バンパ型広告は、プログラムのコンテンツの最後に付加する。
【００１９】
本明細書で使用するときには、用語「ユーザ（User）」は、特定の型の下で、本発明に係る広告供給プラットフォーム（ad  serving  platform）にアクセスする操作者、又はアプリケーションをいう。
【００２０】
本明細書で使用するときには、「広告主ユーザ（Advertiser  User）」は、広告を所有及び／又は制御及び／又は管理するユーザであって、広告配信元ウェブサイト上にその広告を表示することを希望する者をいう。広告主ユーザは、本発明に係る広告供給プラットフォームにおいてキャンペーンを作成し管理できる。所与のキャンペーン（又は、所与のキャンペーンのグループ）にアクセス及び／又は管理できる１つ又は２つ以上の広告主ユーザが存在することがあり得る。広告主ユーザは、広告代理店、ブランド管理事業者、広告配信元、又は広告を展開しようとする他の運営担当者の権限を与えられた１つ又は２つ以上のユーザになることができる。
【００２１】
本明細書で使用するときは、「広告配信元（Publisher）」は、１つ又は２つ以上のウェブサイト（本明細書では、広告配信元ウェブサイトと称される）を所有及び／又は制御及び／又は管理する事業者であって、単数又は複数のこれらの広告配信元ウェブサイトに広告を表示することを希望する者をいう。
【００２２】
本明細書で使用するときは、「広告タグ（Ad  Tag）」は、ウェブコンテンツに埋め込まれたコードをいう。埋め込まれた広告タグを使用して広告呼出要求を生成し、広告供給プラットフォームに送信する。より詳細に以下に説明するように、広告呼出要求は、ソースウェブコンテンツ（すなわち、内部に広告タグが埋め込まれたウェブコンテンツ）のための識別子（ＵＲＬなど）を有する。広告呼出要求は、本発明に係る広告供給プラットフォームに受信され、本明細書で説明される選択基準に基づいて広告のコンテンツを選択する処理がされる。広告供給プラットフォームは、選択された広告のコンテンツの参照符号を要求側に返信する。これを使用して１つ又は２つ以上のコンテンツソースから選択された広告を取り出して、要求されたソースウェブコンテンツに添付された指定の方法でレンダリング／再生される。また、広告供給プラットフォームは、１つ又は２つ以上のコンテンツソースから選択された広告のコンテンツをフェッチ（fetch）して、要求されたソースウェブコンテンツに添付した指定された方法でレンダリング／再生するために、選択された広告のコンテンツを要求側に供給できる。
【００２３】
本明細書で使用するときは、用語「キャンペーン（Campaign）」は、広告主ユーザの要求に関係する情報を収集することをいう。この情報は、１つ又は２つ以上の広告により表される広告のコンテンツと、場合によっては、開始日、終了日、指定されたグループのインタネットユーザに関連する対象とする基準、及び費用（クリック単価（ＣＰＣ）、インプレッション数当たりの費用（ＣＰＭ）、顧客獲得単価（ＣＰＡ）、ロード当たりの費用（ＣＰＬ））のような他の情報とを有する。
【００２４】
本明細書で使用するときは、用語「カテゴリ（Categories）」は、一般的には広告配信元ウェブサイトにわたっており、実際には階層化できる文脈上の領域（contextual  areas）をいう。
【００２５】
本明細書で使用するときは、用語「アウトレット（Outlet）」は、１つ又は２つ以上の広告配信元ウェブサイトと、１つ又は２つ以上のカテゴリとを特定するデータをいう。アウトレットは、広告主ユーザが指定する。アウトレットは、キャンペーンに割り当てられて、キャンペーンの広告のコンテンツによって対象にできる単数又は複数の広告配信元ウェブサイトと、カテゴリとを特定する。
【００２６】
本明細書で使用するときは、用語「広告ローテーション（Ad  Rotation）」は、１つ又は２つ以上の広告を１つ又は２つ以上のアウトレットに割り当てることをいう。アウトレットがキャンペーンに割り当てられると、広告ローテーションは、広告主ユーザのキャンペーンに割り当てられた広告のコンテンツを特定する。
【００２７】
本明細書で使用するときは、用語「広告フィルタ（Ad  Filter）」は、広告主ユーザの特定の広告、及び広告配信元ウェブサイトの１つ又は２つ以上の特定のデジタルコンテンツの項目と関連付けられるデータをいう。広告フィルタは、特定のデジタルコンテンツの項目に特定の広告を添付できるか否かを指定する。広告フィルタは、広告主ユーザの特定の広告と、１つ又は２つ以上の特定のデジタルコンテンツの項目とに関連付けられる。好適には、広告フィルタは、グループベース及び単体ベースで関連付けられたデジタルコンテンツの項目に特定の広告を添付できるか否かを指定する。広告フィルタは、広告主ユーザが指定する。
【００２８】
ここで図１を参照すると、本発明に係る広告供給システム１００のアーキテクチャが示される。広告主ユーザは、計算装置１０３上で実行されるウェブブラウザ・アプリケーション環境を利用するサービスプラットフォーム（services  platform）１０１にアクセスして、ネットワーク１０７（インタネットなど）によってウェブサーバ１０５と接続する。好適には、計算装置１０３とウェブサーバ１０５との間のブラウザに基づく相互作用は、これらの間に確立する１つ又は２つ以上のＴＣＰ／ＩＰセッションによって生じる。
【００２９】
ウェブサーバ１０５は、システム１０３との相互作用を介して、広告主ユーザのログイン及び認証を可能とする。このログイン及び認証は、パスワードに基づく認証、ＯＳに基づく認証（ＮＴＬＭ、又はケルベロスなど）、サービスに基づく認証（マイクロソフト（登録商標）パスポート認証など）、認可証に基づく認証、又は他の認証スキームを利用できる。ユーザのセッションが認証されると、ウェブサーバ１０５は、アプリケーションサーバ１０９と通信して、アプリケーションサーバ１０９により供給されるデータに基づいて単数又は複数のダイナミックなウェブページ（dynamic  web  page(s)）を構築し、広告主ユーザのウェブブラウザ・アプリケーション環境にその単数又は複数のダイナミックなウェブページを供給し、必要に応じて広告主ユーザのウェブブラウザ・アプリケーション環境から供給されたデータをアプリケーションサーバ１０９に転送する。ウェブサーバ１０５は、市販のＨＴＴＰサーバで実現できる。
【００３０】
アプリケーションサーバ１０９は、グラフィカル・ユーザ・インタフェースを広告主ユーザに提示するロジックを有する。これによって、以下で詳細に説明するように、広告主ユーザは、広告主ユーザのキャンペーンのリストを検査し、それに関する様々なタスクを実行することができる。好適には、アプリケーションサーバ１０９は、カルフォルニア州のサンノゼにあるＢＥＡ（登録商標）システムズから市販されるＷｅｂＬｏｇｉｃ（登録商標）プラットフォーム、ＩＢＭ（登録商標）から市販されるＷｅｂｓｐｈｅｒｅ（登録商標）アプリケーションサーバ、ワシントン州のレドモンドのマイクロソフト（登録商標）コーポレーションから市販されているＷｉｎｄｏｗｓ（登録商標）サーバシステム、カルフォルニア州のサンタナクララのサン・マイクロシステムズから市販されるＳＵＮ  Ｊａｖａ（登録商標）システムアプリケーションサーバ、又はカルフォルニア州のレッドウッドショアズのオラクル（登録商標）コーポレーションから市販されるＯｒａｃｌｅ（登録商標）アプリケーションサーバなどの市販のソフトウェアのフレームワークを使用する。
【００３１】
図示されるように、サービスプラットフォーム１０１は、１つ又は２つ以上の広告配信元コンテンツソース１４からデータアクセスするブロック１１２を有する。アクセスされるデータは、以下のデータを含む。
ｉ）対象にできるデジタルコンテンツの項目を参照する１つ又は２つ以上のＵＲＬ（好適には、ゲートウェイ型、すきま型、及びバンパ型のビデオ・広告に使用される）及び／又は所与の広告配信元ウェブサイトにわたって対象にできる広告空間（好適には、バーナ広告に使用される）。
ｉｉ）ｉ）のそれぞれのＵＲＬに関連付けられるメタデータ。メタデータは、対象にできるデジタルコンテンツの項目の主題記述子（subject  descriptor）及び／又は関連付けられるＵＲＬによって参照される対象にできる広告空間、関連付けられるＵＲＬによって参照されるデジタルコンテンツの項目のタイトル、及び場合によっては、関連付けられるＵＲＬによって参照されるサムネイル画像を表す。
好適には、アクセスされるデータは、ｘｍｌファイル、又は他の適当なデータ構造にまとめられ、ＲＳＳフィード、ＸＭＬフィード、構造化されたメッセージング（structured  messaging）、又は他の適当な機構を介して、自動的にアクセスされる。好適には、メタデータの主題記述子は、プラットフォーム１０１のカテゴリのネームスペース（name  space）を利用する。また、主題記述子は、異なるネームスペースを利用できる。
【００３２】
プラットフォーム１０１のブロック１１６は、ブロック１１２にアクセスされたデータを処理して、所与のＵＲＬに関連付けられるメタデータに基づいて１つ又は２つ以上のカテゴリを所与のそれぞれのＵＲＬに割り当てる。カテゴリの割り当て処理は、メタデータの主題記述子のネームスペース、及びプラットフォーム１０１のカテゴリのネームスペース、並びにこれらの間の関係に基づいて多くの異なる方法で遂行できる。主題記述子とカテゴリとが同じネームスペースを利用する場合には、割り当ては、１対１の単純なマッピング動作によって遂行できる。主題記述子とカテゴリとが異なるネームスペースを利用する場合は、（ルールに基づくマッピング機能のような）より複雑なマッピング動作が必要となる。先に規定し、図３の例示に示されるように、プラットフォーム１０１のカテゴリは、一般的には広告配信元ウェブサイトの全域にわたり、実際には階層化できる文脈上の領域を示す。
【００３３】
ブロック１１８は、アクセスされるデータのＵＲＬと、ブロック１１６に与えられたそれぞれの単数又は複数のＵＲＬに割り当てられるそれぞれのカテゴリの識別名と、（更新されるデータのメタデータから）与えられるそれぞれのＵＲＬによって参照されるデジタルコンテンツの項目のタイトルと、もしあれば、（アップロードされるデータのメタデータから）与えられるそれぞれのＵＲＬによって参照されるデジタルコンテンツの項目のサムネイル画像とを、データベース１２０（広告配信元のコンテンツ参照リポジトリとラベルされる）に加える。以下でより詳細に説明するように、広告配信元コンテンツ参照リポジトリに記憶されるデータにおいて、プラットフォーム１０１によって管理され制御される広告ローテーションによる指示により広告に添付できる１つ又は２つ以上のデジタルコンテンツの項目を、プラットフォーム１０１の広告主ユーザが選択し検査することが可能になる。そして必要に応じて、これに対応する広告フィルタデータを作成できる。検査処理において、プラットフォーム１０１によって管理され制御される広告ローテーションによる指示により広告を添付できる単数又は複数のデジタルコンテンツの項目を広告主ユーザが読み取ることが可能である。以下に詳細に説明するように、広告フィルタデータは、好適にはグループベース及び単体ベースで、広告配信元の単数又は複数のウェブサイトのデジタルコンテンツの項目に対応する広告供給処理による制御を可能にすることによって、広告主ユーザにブランドセキュリティを提供する。
【００３４】
アプリケーションサーバ１０９は、広告主ユーザのキャンペーンのリストを広告主ユーザが検査して、キャンペーンに関係する様々なタスクを実現できるグラフィカル・ユーザ・インタフェースを広告主ユーザに提示するロジックを有する。また、グラフィカル・ユーザ・インタフェースは、インプレッション数、範囲（reach）、ユーザ相互作用、経過時間などのような主要なメトリックを記録する広告追跡モジュール（図示せず）と協働する。広告追跡モジュールは、追跡データをリアルタイムに収集し、グラフィカル・ユーザ・インタフェース上にリアルタイムに広告主ユーザがその結果にアクセスできるように、リアルタイムにその結果をフォーマットする。好適には、その結果は、広告主ユーザのキャンペーン及びそれぞれの広告のために広告主ユーザに提示される。キャンペーンのリスト、並びにそのメトリック及び結果を提示する典型的なグラフィカル・ユーザ・インタフェースは、図４Ａに示される。それぞれの広告に関係する結果を提示する典型的なグラフィカル・ユーザ・インタフェースは、図４Ｄ及び４Ｅに示される。
【００３５】
（図１に示され「ｉ）」とラベルされた）アプリケーションサーバ１０９にサポートされるタスクの１つは、広告主ユーザのキャンペーンの作成及び管理を含む。好適には、これによってキャンペーン名、キャンペーンの開始日及び終了日、ターゲット層、キャンペーンのパラメトリックな目標（ビデオ広告のインプレッション数の目標、バーナ広告のインプレッション数の目標、ビデオ広告のインプレッション数当たりの費用（ＣＰＭ）、バーナ広告のインプレッション数当たりの費用（ＣＰＭ）、ビデオ広告のクリック単価（ＣＰＣ）、バーナ広告のクリック単価（ＣＰＣ）、ビデオ広告の顧客獲得単価（ＣＰＡ）、バーナ広告の顧客獲得単価（ＣＰＡ）、ビデオ広告のロード当たりの費用（ＣＰＬ）、及びバーナ広告のロード当たりの費用（ＣＰＬ）など）を広告主ユーザが特定し更新できる。広告主ユーザのキャンペーンのインプレッション数は、（「広告リポジトリ」とラベルされた）データベース１２２に記憶される。単数又は複数のキャンペーンを作成し管理する典型的なユーザ・インタフェースは、図４Ｂに示される。
【００３６】
（図１に「ｉｉ）」とラベルされ、）アプリケーションサーバ１０９にサポートされる他のタスクは、広告主ユーザの１つ又は２つ以上のキャンペーンに割り当てられる１つ又は２つ以上のアウトレットの作成及び管理を含む。先に規定されたように、アウトレットは、１つ又は２つ以上の広告配信元ウェブサイト、及び１つ又は２つ以上のカテゴリを特定する。アウトレットは、広告主ユーザが指定する。広告主ユーザの単数又は複数のアウトレットの情報は、広告リポジトリ２２に記憶される。アウトレットを作成し管理する典型的なユーザ・インタフェースを図４Ｃに示す。このインタフェースは、アウトレットのカテゴリ（Category）を広告主ユーザが特定できるウィジェット４１１（これは、好適にはドロップダウン、またはプルダウンメニューによって実現される）と、アウトレットのアウトレット型（Outlet  Type）（好適には、これを使用して出力レポート法を制御する）を広告主ユーザが特定できるウィジェット４１３（これは、好適にはドロップダウン、またはプルダウンメニューによって実現される）と、アウトレットのパラメータ「Optimized  from」（好適には、これを使用して、請求のためにアウトレットにタグを付ける）を広告主ユーザが特定できるウィジェット４１５（これは、好適にはドロップダウン、又はプルダウンメニューによって実現される）と、アウトレットの広告配信元ウェブサイトのＵＲＬ（Site）を広告主ユーザが特定できるウィジェット４１７（これは、好適にはドロップダウン、またはプルダウンメニューによって実現される）とを含む。セーブするときに装置が生成した名前がアウトレットに関連付けられるが、これはユーザが入力することによって更新できる。また、インタフェースは、アウトレットの開始日（Start  Date  &  Time）及び終了日（End  Date  &  Time）、並びにアウトレットのパラメトリックな目標（ビデオ広告のインプレッション数の目標（Impression  Goal  on  Video）、バーナ広告のインプレッション数の目標（Impression  Goal  on  Banner）、ビデオ広告のインプレッション数当たりの費用（ＣＰＭ）（CPM  on  Video）、バーナ広告のインプレッション数当たりの費用（ＣＰＭ）（CPM  on  Banner）、ビデオ広告のクリック単価（ＣＰＣ）、バーナ広告のクリック単価（ＣＰＣ）、ビデオ広告の顧客獲得単価（ＣＰＡ）、バーナ広告の顧客獲得単価（ＣＰＡ）、ビデオ広告のロード当たりの費用（ＣＰＬ）、及びバーナ広告のロード当たりの費用（ＣＰＬ）など）を特定するウィジェット４１６の組を含む。また、ユーザ・インタフェースは、広告主ユーザがアウトレットを無効（Disable）にできるウィジェット４１９（好適には、Ｙｅｓ及びＮｏボタンで実現される）と、広告主ユーザがアウトレットを削除（Delete）できるウィジェット４２１（好適には、Ｙｅｓ及びＮｏボタンで実現される）とを含む。また、インタフェースは、アウトレットの広告を再生／レンダリングするオブジェクトのＵＲＬ（Player  URL）を広告主ユーザが特定するウィジェット４２３（テキスト入力領域など）を含む。図７について以下に詳細に説明されるように、ウィジェット４２３によって特定されるＵＲＬを使用して、監査の目的（場合によっては、他の照合の目的）でアウトレットの広告のスクリーンショット���自動的に捕捉できる。
【００３７】
（図１に「ｉｉｉ）」とラベルされ、）アプリケーションサーバ１０９にサポートされた他のタスクは、広告主ユーザの１つ又は２つ以上の広告ローテーションの作成及び管理である。広告ローテーションは、広告主ユーザの１つ又は２つ以上の広告を１つ又は２つ以上のアウトレットに割り当てる。好適には、広告ローテーションは、
●アドローテーションの名前（ＢＢＥ ＣＡＲＴＯＯＮＳ ＬＯＯＮＥＹＴＵＮＥＳなど）と、
●広告ローテーションがない場合に供給の間にロールオーバする元の広告ローテーション（Parent  Ad  Rotation）の名前（これは以下により詳細に説明される）と、
●広告ローテーションが割り当てられるアウトレットと、それに対応するキャンペーンと、
●広告主ユーザのローテーションの項目の一群。ローテーションの項目は、広告主ユーザの１つ又は２つ以上の広告（ビデオ広告の識別子及び／又は場合によっては併用バーナ広告の識別子など）とともに、（開始日及び終了日、週の日にちの制限、日の時間の制限、並びに関連付けられるキャンペーンの一部として競合し供給する広告に使用される重みのような）項目を特定する特性と、
を含む。
好適には、所与の広告ローテーションの管理は、所与のローテーションの項目を無効及び削除することが許可される。好適には、所与の広告ローテーションの管理は、所与のローテーションの項目を無効及び削除し、所与のローテーションの項目が割り当てられるキャンペーンとアウトレットとを更新し、広告ローテーションに関連付けられる項目の特定の仕様の更新を含む広告ローテーションの更新が許可される。広告主ユーザの単数又は複数の広告ローテーションの情報は、広告リポジトリ１２２に記憶される。広告のコンテンツは、広告リポジトリ１２２に局所的に記憶されるか、場合によってはＵＲＬ又は遠隔の広告のコンテンツソース（広告のコンテンツのデータベース、又は広告のコンテンツの流通ネットワークなど）の他の識別子を参照できる。広告ローテーションを作成し管理する典型的なユーザ・インタフェースを図４Ｄ及び４Ｅに示す。
【００３８】
（図１に「ｉｖ）」とラベルされ、）アプリケーションサーバ１０９にサポートされた他のタスクは、広告主ユーザの広告ローテーションの一部として、ユーザが特定する広告と、１つ又は２つ以上の要望通りのデジタルコンテンツの項目の広告フィルタの仕様とを添付することが可能である単数又は複数のデジタルコンテンツの項目の選択及び検査である。好適な実施形態では、広告主ユーザは、広告に関連付けられるアウトレット及びカテゴリを特定する。そして、好適には、特定されるアウトレット及びカテゴリに関連付けられる広告のドロップダウン又はプルダウンのリストから特定の広告を選択する。このリストは、広告リポジトリ１２２に記憶される情報から生成される。アプリケーションサーバ１０９は、特定されるアウトレット及び特定されるカテゴリの広告配信元ウェブサイトのＵＲＬを利用して、広告配信元コンテンツ参照リポジトリ１２０から以下の２つの条件を満たす、記憶されたデジタルコンテンツの項目参照（item  reference）を取り出す。
ｉ）デジタルコンテンツの項目参照は、アウトレットの単数又は複数の広告配信元ウェブサイトの一部である。
ｉｉ）デジタルコンテンツの項目参照は、デジタルコンテンツ項目参照に割り当てられ、特定のカテゴリに整合するカテゴリを有する。
【００３９】
また、アプリケーションサーバ１０９は、整合する所与のそれぞれのデジタルコンテンツの項目に関連付けられるタイトルと、（もしあれば）サムネイルとを広告配信元コンテンツ参照リポジトリ２０からを取り出す。そして、アプリケーションサーバは、ＧＵＩを提示して、デジタルコンテンツの項目にアクセスし検査（観視（view）、又は再生するなど）し、必要に応じて１つ又は２つ以上のデジタルコンテンツの項目の広告フィルタデータを指定することを広告主ユーザに許可する。アプリケーションサーバ１０９は、観視／再生が選択されたとき、整合する単数又は複数のデジタルコンテンツの項目の単数又は複数のＵＲＬリファレンスを使用して、適当な広告配信元コンテンツソース１１４から単数又は複数の項目を取り出す。また、整合する単数又は複数のデジタルコンテンツの項目の単数又は複数のＵＲＬリファレンスを使用して、ユーザが観視／再生を選択する前に、適当な広告配信元コンテンツソース１１４から単数又は複数の項目を先にフェッチすることができる。好適には、ＧＵＩは、それぞれのデジタルコンテンツの項目のタイトル及び（可能な場合は）サムナイルを含むリスト形式のデジタルコンテンツ項目と、それに関連付けられる観視／再生とを提示する。好適には、広告フィルタは、グループベース及び単体ベースで関連付けられるデジタルコンテンツの項目に特定の広告を添付できるか否かを指定する。アプリケーションサーバ１０９は、広告主ユーザによって指定される広告フィルタの入力に対応する広告フィルタデータを（「広告フィルタリポジトリ」とラベルされた）データベース１２４に生成し記憶する。単数又は複数のデジタルコンテンツの項目と、この１つ又は２つ以上のデジタルコンテンツの項目の広告フィルタの仕様とを選択し検査する典型的なユーザ・インタフェースを図４Ｆに示す。好適な実施形態において、広告主ユーザによって指定される広告フィルタの入力は、以下の情報を含む。
●１つ又は２つ以上のデジタルコンテンツの項目に関連付けられるデフォルトＩｎｃｌｕｄｅＥｘｃｌｕｄｅモード値（好適には、インクルード（Include）ボタン４５１とエクスクルード（Exclude）ボタン４５３とによって実現される）。デフォルトＩｎｃｌｕｄｅＥｘｃｌｕｄｅモード値は、特定の広告がそれに関連付けられるデジタルコンテンツの単数又は複数の項目に添付できるか否かのデフォルト状態を示す。このデフォルト状態は、グループベースで、関連付けられるデジタルコンテンツの単数又は複数の項目を管理するが、所与のデジタルコンテンツの項目の、項目指定ＩｎｃｌｕｄｅＥｘｃｌｕｄｅモード値の別の設定によって、広告主ユーザが特定することによって無効にできる。このように、項目指定ＩｎｃｌｕｄｅＥｘｃｌｕｄｅモード値は、単体ベースで、特定のデジタルコンテンツの項目を管理する。
●特定のデジタルコンテンツの項目と関連付けられる項目指定ＩｎｃｌｕｄｅＥｘｃｌｕｄｅモード値（好適には、インクルード（Include）ボタン４５５とエクスクルード（Exclude）ボタン４５７とによって実現される）。項目指定ＩｎｃｌｕｄｅＥｘｃｌｕｄｅモード値は、特定の広告が特定のデジタルコンテンツの項目に添付できるか否かを表す。
このように、広告フィルタによって、特定の広告を添付することから、特定のデジタルコンテンツの項目、又はデジタルコンテンツのグループを広告主ユーザが包含する、又は除外することを許可する。
【００４０】
好適な実施形態では、アプリケーションサーバ１０９で生成され、広告フィルタリポジトリ１２４で記憶される広告フィルタデータは、図５Ａ及び５Ｂに示すディレクトリフォルダ構造に記憶されるｘｍｌデータファイルによって実現される。フォルダ名は、広告に独自に割り当てられる広告識別情報（Ad  IDs）に対応する。それぞれのフォルダは、特定の広告に関連付けられるｘｍｌデータファイルを記憶する。例えば、フォルダ「２６９」は、「アメックス（登録商標）ＯＳＢＮ２００６−芸術及び余暇キャンペーン」と名付けられ、広告識別情報２６９が割り当てられた広告のｘｍｌデータファイルを記憶する。ｘｍｌデータファイルは、
●ｘｍｌデータファイルに添付する１つ又は２つ以上のデジタルコンテンツの項目に関連付けられるデフォルトＩｎｃｌｕｄｅＥｘｃｌｕｄｅモード値。デフォルトＩｎｃｌｕｄｅＥｘｃｌｕｄｅモード値は、特定の広告（「アメックス（登録商標）ＯＳＢＮ２００６−芸術及び余暇キャンペーン」の識別情報２６９）が特定の広告に関連付けられたデジタルコンテンツの単数又は複数の項目に添付できるか否かのデフォルト状態を示す。このデフォルト状態は、上述のように、グループベースで特定の広告に関連づけられるデジタルコンテンツの単数又は複数の項目を管理する。
●以下を含む特定の広告識別情報に関連付けられたそれぞれの特定のデジタルコンテンツの項目の１対のデータ値。
ｉ）特定のデジタルコンテンツの項目のＵＲＬ。
ｉｉ）特定の広告（「アメックス（登録商標）ＯＳＢＮ２００６−芸術及び余暇キャンペーン」の識別情報２６９）が（ＵＲＬで識別される）特定のデジタルコンテンツの項目に添付できるか否かを表す項目指定ＩｎｃｌｕｄｅＥｘｃｌｕｄｅモード値。項目指定ＩｎｃｌｕｄｅＥｘｃｌｕｄｅモード値は、上述のように、単体ベースで特定のデジタルコンテンツの項目を管理する。
【００４１】
好適な実施形態において、プラットフォーム１０１の広告リポジトリ１２２は、特定の広告に関連付けられる情報を記憶する。これは、好適には、広告のコンテンツのＵＲＬと、広告に関連するメタデータ（広告の型、広告の名前、広告を再生する再生機のＵＲＬ、広告の持続期間、併用バーナ（companion  banner）を配信し探知するＨＴＭＬ、探知情報（広告再生に関連する通知を受信する１つ又は２つ以上のＵＲＬ，クリックスルーＵＲＬなど）、並びに対象として目的を報告する広告に関係するパラメータ及び統計的情報（配信された合計のインプレッション数、本日配信されたインプレッション数、日々の上限、必要なインプレッションの総数、必要なインプレッションの残数、キャンペーンの残日数、及びキャンペーンの残り時間など））とを含む。好適には、このような情報は、図６に示すスキーマとともにｘｍｌデータファイルによって実現される。
【００４２】
また、プラットフォーム１０１は、１つ又は２つ以上の広告サーバエンジン１２８と、広告配信元コンテンツ参照リポジトリ１２０、広告リポジトリ１２２、及び広告フィルタリポジトリ１２４との間のインタフェースを提供するクエリロジック（query  logic）１２６を含む。クエリロジック１２６を使用して単数又は複数の広告サーバエンジン１２８によって実行される広告供給処理（図２）の一部として、これらのリポジトリから関連性がある情報を取り出す。
【００４３】
図１のシステム１００は、図２に示す広告供給処理の一部として使用される。処理は、ステップ０で開始する。ステップ０では、プラットフォーム１０１は、上述のように、広告リポジトリ１２２に広告情報を記憶し、広告配信元コンテンツ参照リポジトリ１２０に広告配信元コンテンツ参照情報を記憶し、広告フィルタリポジトリ１２４に広告フィルタ情報を記憶する。ステップ１において、個人は、ブラウザアプリケーション環境１３１を動作して広告配信元ウェブサーバ１３３からウェブコンテンツを要求する。ステップ２において、要求は、広告配信元ウェブサーバ１３３にインタネットによって通信される。ステップ３において、広告配信元ウェブサーバ１３３は、要求されたウェブコンテンツをインタネットによって返信する。広告配信元ウェブサーバ１３３によって返信される要求されたウェブコンテンツは、ウェブコンテンツに埋め込まれた広告タグを有する。
【００４４】
ステップ４において、ブラウザアプリケーション環境１３３は、要求されたウェブコンテンツを受信する。ステップ５において、ブラウザアプリケーション環境１３３は、要求されたウェブコンテンツに埋め込まれた広告タグを処理し、広告サーバエンジン１２８に広告呼出要求を出すことによって、広告サーバエンジン１２８に出力先を変更する。広告呼出要求は、ステップ４で受信した要求されたウェブコンテンツのＵＲＬと、ステップ４で受信した要求されたウェブコンテンツに関係するメタデータとを含む。メタデータは、１つ又は２つ以上の（文脈ターゲッティングのための）主題記述子、（行動ターゲッティングのための）行動情報（behavioral  information）及び／又は（ターゲッティングのための）グラフィック情報を含むことができる。
【００４５】
ステップ６において、広告呼出要求は、広告サーバエンジン１２８にインタネットによって通信される。ステップ７において、広告サーバエンジン１２８は、広告呼出要求を受信し、広告呼出要求を実行するために使用する可能性がある１つ又は２つ以上の広告を識別する候補リストを生成する。広告サーバエンジン１２８は、プラットフォーム１０１のクエリロジック１２６と協働することによって候補リストを生成して、
ｉ）もしあれば、要求されたウェブコンテンツに割り当てられた１つ又は２つ以上のカテゴリ（これは、上述のように図１のブロック１１６で実行される）を広告配信元コンテンツ参照リポジトリ１２０から取り出す。要求されたウェブコンテンツのＵＲＬを使用して、要求されたウェブコンテンツに関連付けられた広告配信元コンテンツ参照リポジトリ１２０に記憶されたカテゴリ情報を識別する。
ｉｉ）広告配信元コンテンツ参照リポジトリ１２０に記憶されるような要求されたウェブコンテンツに割り当てられたカテゴリ情報がない場合は、広告呼出要求のメタデータに基づいて、要求されたウェブコンテンツに１つ又は２つ以上のカテゴリを割り当てる。このカテゴリの割り当て動作は、ブロック１１６によって実施されるものと同様にできる。
ｉｉｉ）ｉ）又はｉｉ）で識別される要求されたウェブコンテンツのＵＲＬ及び単数又は複数のカテゴリにアウトレット（単数又は複数の広告配信元ウェブサイト／単数又は複数のカテゴリ）が対応する広告ローテーションに割り当てられるこれらの広告の識別情報をプラットフォーム１０１の広告リポジトリ１２２から取り出す。
周知のように、グラフィカル、文脈及び／又は行動ターゲッティングの基準を使用して初期候補リストを狭くできる。初期候補リストが空の場合は、クエリロジック１２６は、ｉ）又はｉｉ）で識別される要求されたウェブコンテンツのＵＲＬ及び単数又は複数のカテゴリにアウトレット（単数又は複数の広告配信元ウェブサイト／単数又は複数のカテゴリ）が対応する、元の広告ローテーションに割り当てられるこれらの広告の識別情報をプラットフォーム１０１の広告リポジトリ１２２から取り出し、広告サーバエンジン１２８に識別情報を返信して、初期候補リストを構築する。元の広告ローテーションは、上述のように広告ローテーションで特定されるリンクによって規定される。
【００４６】
ステップ８において、広告サーバエンジン１２８は、クリエロジック１２６と協働して、候補リストの広告に添付する広告フィルタデータを広告フィルタリポジトリ１２４から取り出す。そして、広告サーバエンジンは、その広告フィルタデータを利用して、対応する広告フィルタによって決定された候補リストから除去すべき広告（もしあれば）を決定する。好適には、この処理は、以下のサブステップを含む。広告サーバエンジン１２８は、候補リストに単数又は複数の広告を配列する。それぞれの広告に配列を与えるために、広告サーバエンジン１２８は、所与の広告に添付する全ての広告フィルタデータ（広告フィルタデータの一部として記憶される所与の広告の広告識別情報など）を識別する。識別された広告フィルタデータは、処理されて、広告呼出要求で識別されたソースウェブコンテンツを参照する特定の広告フィルタデータ（広告フィルタデータに記憶される特定のデジタルコンテンツの項目のＵＲＬを参照するソースウェブコンテンツのＵＲＬなど）を識別する。この特定の広告フィルタデータを解析して、ソースウェブコンテンツに添付すべきでない所与の広告を広告フィルタデータが表示するか否かを決定する。そうである場合は、所与の広告は、候補リストから除去される。そうでない場合は、所与の広告は、候補リストに残る。
【００４７】
ステップ９において、ステップ８で生成された候補リストが１つより多い広告を有する場合は、広告サーバエンジン１２８は、１つ又は２つ以上のフィルタ動作を候補リストに適用して、候補リストの中の広告の１つを選択する。このフィルタ動作は、重み（キャンペーンの一部として競われた広告に添付する重みなど）、日々のインプレッション数の上限範囲、開始日／終了日、及びインプレッション数の残りに基づくことができる。これらは全て、クリエロジック１２６又は他の適当な機構と協働することによってプラットフォーム１０１の広告リポジトリ１２２から取り出される。また、選択された広告の単数又は複数のＵＲＬは、クリエロジック１２２と協働することによって広告リポジトリ１２２から取り出される。
【００４８】
ステップ１０において、広告サーバエンジン１２８は、ステップ９で取り出され選択された広告の単数又は複数のＵＲＬを返信する。ステップ１１において、選択された広告のＵＲＬは、広告サーバエンジン１１８からブラウザアプリケーション環境１０３にインタネットによって通信される。ステップ１２において、ブラウザアプリケーション環境１０３は、選択された広告の単数又は複数のＵＲＬを受信する。ステップ１３において、ブラウザアプリケーション環境１０３は、選択された広告が受信した単数又は複数のＵＲＬを使用して、単数又は複数の広告配信元コンテンツソース１１４と協働して、選択された広告を返信する。ステップ１４において、ブラウザアプリケーション環境１０３は、ステップ３において返信されたウェブコンテンツと併せて選択された広告を表示又は再生する。
【００４９】
広告サーバエンジン１２８は、（１つ又は２つ以上の広告配信元コンテンツソース１１４から広告を取り出すようにブラウザアプリケーション環境１０３に要求する代わりに、）ステップ８及び／又はステップ９のフィルタ処理の間１つ又は２つ以上の広告を先にフェッチし、ブラウザアプリケーション環境１０３に通信することが可能である。
【００５０】
有利には、本発明に係る広告供給システム及び対応する手順は、広告を添付できる１つ又は２つ以上のデジタルコンテンツの項目を広告主及び／又はブランド管理者が選択し検査することが可能である。そして、必要な場合には、対応する広告フィルタデータを作成することが可能である。広告フィルタデータは、グループベース及び単体ベースで広告配信元の単数又は複数のウェブサイトのデジタルコンテンツの項目に応じた広告供給処理を制御することが可能となることによって、広告主／ブランド管理者にブランドセキュリティを提供する。
【００５１】
本発明の他の態様では、広告配信元と広告主とはともに、広告配信元と広告供給技術とにおける一貫性があり且つ正確なオンライン広告の計測を照合する監査機能を実行する。この監査技術は一般に、広告配信元の所与のウェブサイトに手動でアクセスすることを含み、特定の広告のコンテンツがウェブサイトからアクセス可能であるかを照合する。この手動のアクセス動作は、時間集約的であり、間違いをする傾向がある。
【００５２】
図７は、監査の目的（場合によっては他の照合の目的）で、広告配信元ウェブサイトからアクセスできる広告のスクリーンショットを自動的に捕捉するウェブにアクセス可能な図１のプラットフォーム１０１によって実行される動作を示す図である。この自動スクリーン捕捉動作は、従来技術の手動動作より効率的且つ正確である。
【００５３】
図７の動作は、判定ブロック７０１を使用して、プラットフォーム１０１に保持される広告（好適には、上述のように広告リポジトリ１２２に記憶される）を読み取り、所与のそれぞれの広告の１つ又は２つ以上のメトリックがしきい値レベルを超えているか否かをチェックする。メトリックは、広告のインプレッション数、日又は時間の広告の実行回数、または、他の所定の判定基準に基づくことができる。読み取りは、連続的、周期的（毎時、又は毎日など）、又はオン・デマンドで実行できる。所与の広告の単数又は複数の測定基準が所定のしきい値レベルを超えるとき、ブロック７０３に続く。
【００５４】
ブロック７３は、所与の広告の１つ又は２つ以上のスクリーンショットを自動的に捕捉する動作のスケジュールを決める。例えば、ビデオコンテンツと添付されるバーナ広告との双方を含むとき、好適には、ブロック７０３は、ビデオコンテンツの自動捕捉のスクリーンショットと、広告のバーナ広告のスクリーンショットとの自動捕捉のスケジュールを決める。
【００５５】
ブロック７０５において、ブロック７０３によってスケジュールが決められたスクリーンショットの自動捕捉動作は、実行される。好適には、この動作は、図４Ｃのウィジェット４２３によって指定されるＵＲＬを利用して、自動捕捉のために広告を再生／レンダリングする。自動捕捉処理は、インタネットの待ち時間、又は未対応のリフレッシュ速度が原因で、真っ黒な画面が生じる可能性がある場合がある。この場合には、広告の特定のコンテンツのＵＲＬ（好適には、図１の広告リポジトリ１２２から記憶され取り出される）を使用して広告の特定のコンテンツにアクセスして、自動捕捉のために再生／レンダリングできる。
【００５６】
ブロック７０７において、ブロック７０７のスクリーンショット自動捕捉動作で出力された単数又は複数の画像ファイルは、記憶される。それぞれの画像ファイルは、画像が作成された日付及び時間を表すデータを含む（又は関連付けられる）。記憶された画像ファイルは、必要に応じて監査の目的（場合によっては、他の照合の目的）でアクセスできる。
【００５７】
本明細書では、広告供給システム及び対応する動作方法のいくつかの実施形態が図示され説明されている。本発明の特定の実施形態が説明されているが、本発明をこれらに限定することを意図するものではなく、本発明は、本技術が考慮に入れることができる範囲と同様の広さであり、本明細書も同様に解釈されることを意図している。したがって、特定の機能ブロックが開示されているが、これらの機能ブロックは、一体化し、その上別々に分割できる。さらに、特定の型のデータ構造が開示されているが、他のデータ構造を使用できることが理解されることになる。また、好適な広告供給処理が開示されているが、本明細書に記載された広告フィルタ機構に異なる広告供給処理を利用できることが理解されることになる。さらに、広告配信元ウェブサーバ及び単数又は複数の広告配信元コンテンツソースに関して特定の構成が開示されているが、他の構成も同様に使用できることが十分理解されることになる。例えば、広告配信元ウェブサーバは、広告配信元コンテンツと対になるコンテンツデータベースから広告配信元コンテンツを供給できることを予期される。したがって、クレームの精神及び範囲から逸脱することなしに提供される発明にさらなる他の変形を成すことができることが当業者には十分理解されることになる。
【図１】
2010525492.tif 000003
【図２】
2010525492.tif 000004
【図３】
2010525492.tif 000005
【図４Ａ】
2010525492.tif 000006
【図４Ｂ】
2010525492.tif 000007
【図４Ｃ】
2010525492.tif 000008
【図４Ｄ】
2010525492.tif 000009
【図４Ｅ】
2010525492.tif 000010
【図４Ｆ】
2010525492.tif 000011
【図５Ａ】
2010525492.tif 000012
【図５Ｂ】
2010525492.tif 000013
【図６】
2010525492.tif 000014
【図７】
2010525492.tif 000015
【国際調査報告】
2010525492.tif 000016